【手続補正書】
【提出日】平成26年2月13日(2014.2.13)
【手続補正１】
【補正対象書類名】特許請求の範囲
【補正対象項目名】全文
【補正方法】変更
【補正の内容】
【特許請求の範囲】
【請求項１】
調整された電圧を負荷に提供するように構成されるスリークォータブリッジ電力コンバータであって、
スイッチノードを一層高い電圧に選択的に結合するように構成される第１のスイッチと、
前記スイッチノードを一層低い電圧に選択的に結合するように構成される第２のスイッチと、
前記一層高い及び一層低い電圧の中間のクランプ電圧を蓄積するように構成されるクランプ電圧要素と、
前記第１のスイッチ及び前記第２のスイッチが前記スイッチノードを前記一層高い電圧及び一層低い電圧に結合していないとき、前記スイッチノードを前記電圧要素に選択的に結合するように構成される２方向性クランピングスイッチであって、それにより前記スイッチノードを前記クランプ電圧にクランプする、前記２方向性クランピングスイッチと、
を含む、電力コンバータ。
【請求項２】
請求項１に記載の電力コンバータであって、
前記電圧要素がキャパシタを含む、電力コンバータ。
【請求項３】
請求項１に記載の電力コンバータであって、
前記スイッチノードと前記負荷との間に結合される反応要素を更に含む、電力コンバータ。
【請求項４】
請求項３に記載の電力コンバータであって、
前記反応要素が少なくとも１つのコイル又は変圧器巻線を含む、電力コンバータ。
【請求項５】
請求項４に記載の電力コンバータであって、
前記コイル又は変圧器巻線の電圧を測定するように構成されるシングルエンド電圧センサー、及び
前記コイル又は変圧器巻線を通る電流を測定するように構成されるシングルエンド電流センサー、
の少なくとも１つを更に含む、電力コンバータ。
【請求項６】
請求項３に記載の電力コンバータであって、
前記反応要素が、前記スイッチノードと前記負荷に結合された出力ノードとの間に結合されるキャパシタであり、
前記キャパシタが前記電圧要素を含むように、前記２方向性クランピングスイッチが前記出力ノードと接地との間に結合される、電力コンバータ。
【請求項７】
請求項１に記載の電力コンバータであって、
前記第１及び第２のスイッチと前記２方向性クランピングスイッチを協同して切り換えるための制御信号を発生するように構成される制御回路を更に含み、
前記制御回路が、
駆動周波数に関連する値を受け取るように構成される位相アキュムレータ、
前記位相アキュムレータの出力と駆動デューティーファクタに関連する値とを加算するように構成される加算器、
前記位相アキュムレータの出力の最上位ビット及び前記加算器の出力の最上位ビットを識別するように構成される、少なくとも１つの抽出ユニット、及び
前記最上位ビットを用いて前記制御信号を生成するように構成される組合せロジック、
を含む、
電力コンバータ。
【請求項８】
請求項１に記載の電力コンバータであって、
前記一層高い電圧が供給電圧を含み、
前記一層低い電圧が接地を含み、更に、
前記クランプ電圧が前記供給電圧のほぼ２分の１である、
電力コンバータ。
【請求項９】
システムであって、
負荷と、
前記負荷に電力を供給するように構成されるスリークォータブリッジ電力コンバータと、
を含み、
前記電力コンバータが、
スイッチノードを一層高い電圧に選択的に結合するよう構成される第１のスイッチと、
前記スイッチノードを一層低い電圧に選択的に結合するように構成される第２のスイッチと、
前記一層高い及び一層低い電圧の中間のクランプ電圧を蓄積するように構成されるクランプ電圧要素と、
前記第１のスイッチ及び前記第２のスイッチが前記スイッチノードを前記一層高い電圧及び一層低い電圧に結合していないとき、前記スイッチノードを前記電圧要素に選択的に結合するように構成される２方向性クランピングスイッチであって、それにより前記スイッチノードを前記クランプ電圧にクランプする、前記２方向性クランピングスイッチと、
を含む、システム。
【請求項１０】
請求項９に記載のシステムであって、
前記電圧要素がキャパシタを含む、システム。
【請求項１１】
請求項９に記載のシステムであって、
前記スイッチノードと前記負荷との間に結合される反応要素を更に含む、システム。
【請求項１２】
請求項１１に記載のシステムであって、
前記反応回路が少なくとも１つのコイル又は変圧器巻線を含む、システム。
【請求項１３】
請求項１２に記載のシステムであって、
前記電力コンバータが、
前記コイル又は変圧器巻線の電圧を測定するように構成されるシングルエンド電圧センサー、及び、
前記コイル又は変圧器巻線を通る電流を測定するように構成されるシングルエンド電流センサー、
の少なくとも１つを更に含む、システム。
【請求項１４】
請求項１１に記載のシステムであって、
前記反応要素が、前記スイッチノードと前記負荷に結合された出力ノードとの間に結合されるキャパシタであり、
前記キャパシタが前記電圧要素を含むように、前記２方向性クランピングスイッチが前記出力ノードと接地との間に結合される、システム。
【請求項１５】
請求項９に記載のシステムであって、
前記第１及び第２のスイッチと前記２方向性クランピングスイッチを協同して切り換えるための制御信号を発生するように構成される制御回路を更に含み、
前記制御回路が、
駆動周波数に関連する値を受け取るように構成される位相アキュムレータ、
前記位相アキュムレータの出力と駆動デューティーファクタに関連する値とを加算するように構成される加算器、
前記位相アキュムレータの出力の最上位ビット及び前記加算器の出力の最上位ビットを識別するように構成される、少なくとも１つの抽出ユニット、及び
前記最上位ビットを用いて前記制御信号を生成するように構成される組合せロジック、
を含む、
システム。
【請求項１６】
請求項９に記載のシステムであって、
前記スリークォータブリッジ電力コンバータが、多数の送信コイル又は変圧器巻線を含むマトリックスを含むワイヤレス電力トランスミッタの一部分を含み、
前記負荷がワイヤレス電力レシーバを含む、
システム。
【請求項１７】
請求項１６に記載のシステムであって、
前記一層高い電圧が供給電圧を含み、
前記一層低い電圧が接地を含み、更に、
前記クランプ電圧が前記供給電圧のほぼ２分の１である、
システム。
【請求項１８】
ハーフブリッジ電力コンバージョンの方法であって、
それぞれ第１のスイッチ及び第２のスイッチを用いて、スイッチノードを、一層高い電圧及び一層低い電圧に繰り返し結合すること、及び
前記第１のスイッチ及び前記第２のスイッチが前記スイッチノードを前記一層高い電圧及び一層低い電圧に結合していないとき、前記スイッチノードを前記一層高い及び一層低い電圧の中間のクランプ電圧に選択的に結合することであって、それにより前記スイッチノードを前記クランプ電圧にクランプする、前記選択的に結合すること、
を含む方法。
【請求項１９】
請求項１８に記載の方法であって、
前記スイッチノードをクランプ電圧に選択的に結合することが、負荷に結合される出力ノードを接地に選択的に結合することにより達成され、前記スイッチノードと前記出力ノードとの間に結合されるキャパシタの電圧が前記クランプ電圧を含む、方法。
【請求項２０】
請求項１９に記載の方法であって、
多数の送信コイル又は変圧器巻線を含むマトリックスを含む無線電力送信機での使用に適合され、無線電力が無線電力受信機を含む負荷に供給される、方法。